(57)【要約】【目的】本発明は、かぶっていた帽子を脱いだ直後に、容易に櫛で整髪ができることを目的とする。【解決手段】本発明の櫛は、プラスチックやアルミニュウムといった腰の強い材料で形成されており、櫛（１）全体は凹状に湾曲し、櫛の保持部（２）には櫛用ケース（４）に固定する場合に使用する固定用穴（３）を形成してある。また、本発名の櫛用ケースは、櫛用ケース（４）全体を概ね帽子（７）のひさし（８）の湾曲に沿うように凹状に湾曲し、櫛の挿入部（５）に櫛（１）を固定するためのホック等による固定手段（６）を有している。さらに、ひさしに櫛収納ポケットを有する帽子は、帽子（７）のひさし（８）の裏側に布地の縫製等によりポケット（９）を形成したり、ひさし（８）の裏側に櫛（１）を入れる櫛用ケース（４）を固着している。【選択図】  図１
2005007132.tif 000002
【特許請求の範囲】
【請求項１】
櫛（１）を凹状に湾曲し、櫛の保持部（２）に固定用穴（３）を形成したことを特徴とする櫛。
【請求項２】
櫛用ケース（４）を凹状に湾曲し、櫛の挿入部（５）に固定手段（６）を有することを特徴とする櫛用のケース。
【請求項３】
帽子（７）のひさし（８）の裏側に、櫛（１）を収納するポケット（９）を有することを特徴とする櫛収納ポケットを有する帽子。
【請求項４】
帽子（７）のひさし（８）の裏側に、櫛（１）を収納する櫛用ケース（４）を固着してポケット（９）となしたことを特徴とする櫛収納ポケットを有する帽子。
【発明の詳細な説明】
【０００１】
【発明の属する技術分野】
本発明は、櫛及び櫛用ケース並びに櫛収納ポケットを有する帽子に関する。
【０００２】
【従来の技術】
従来の櫛には、櫛を凹状に湾曲したもの（特許文献１参照）があった。
また、従来の帽子には、携帯電話を入れるポケットを吊り下げたもの（特許文献２参照）や、帽子の前面上部に収納部を有するもの（特許文献３参照）があった。
【特許文献１】意匠登録第１０６９２６４号
【特許文献２】特開２００２−２２０７２３
【特許文献３】特開平８−２７６１２
【０００３】
【発明が解決しようとする課題】
本発明は、かぶっていた帽子を脱いだ直後に、容易に櫛で整髪ができることを目的とするものであるが、それに対して従来例では以下のような課題があった。
特許文献１の櫛は、主として女性の日本髪に使用されるものと推測され、腰のない（屈曲に対して粘りのない様）凹状の形状であるので、これを持ち歩くのは甚だ不便であるといった課題を有する。
特許文献２の帽子で携帯電話を入れるポケットを吊り下げたものでは、顔の側面にポケットが吊り下がった状態なので、歩行時等にポケットが頬をたたいてうっとうしかったり、側面への視界が妨げられるといった課題があった。
特許文献３の帽子で前面上部に収納部を形成させたものでは、いろいろな小物が入れられるといった便利な面がある反面で、小物を取り出す際にファスナーを開閉する必要があり操作が面倒といった課題を有するとともに、小物をたくさん入れると目的の物がなかなか探せないといった課題を有し、多くの物を入れると帽子が重くなるといった課題があった。
【０００４】
【課題を解決するための手段】
本発明の櫛は、櫛（１）を凹状に湾曲し、櫛の保持部（２）に固定用穴（３）を形成したことを特徴とする。
また、本発名の櫛用ケースは、櫛用ケース（４）を凹状に湾曲し、櫛の挿入部（５）に固定手段（６）を有することを特徴とする。
さらに、本発明の櫛収納ポケットを有する帽子は、帽子（７）のひさし（８）の裏側に、櫛（１）を収納するポケット（９）を有することを特徴とし、又は、帽子（７）のひさし（８）の裏側に櫛（１）を入れる櫛用ケース（４）を固着したことを特徴とする。
【０００５】
【発明の実施の形態】
本発明の実施の形態を図面を参照して説明する。
図１はひさしの裏側に櫛用ケースを固着した斜視図、図２は櫛用ケースの斜視図、図３は櫛の斜視図、図４は櫛収納ポケットを有する帽子の斜視図である。
【０００６】
図３による本発明の櫛は、プラスチックやアルミニュウムといった腰の強い材料で形成されており、櫛（１）全体は凹状に湾曲し、櫛の保持部（２）には櫛用ケース（４）に固定する場合に使用する固定用穴（３）を形成してある。
また、図２による本発明の櫛用ケースは、櫛用ケース（４）全体を概ね帽子（７）のひさし（８）の湾曲に沿うように凹状に湾曲し、櫛の挿入部（５）に櫛（１）を固定するためのホック等による固定手段（６）を有している。
さらには、図４において、帽子（７）のひさし（８）の裏側に、ひさし（８）の外面を形成している布地と同様の布地を縫製等の手段により袋状に形成して、櫛（１）を収納するポケット（９）としたり、図１のように、帽子（７）のひさし（８）裏側に櫛（１）を入れる櫛用ケース（４）を固着して櫛収納ポケットを有する帽子としている。
【０００７】
図３による本発明の櫛（１）の使用方法は、櫛（１）全体が凹状に湾曲しており、人間の頭部の凸状湾曲と形状が概ね合うため、そのまま使用すれば容易に整髪ができるのである。形状は凹状に湾曲しているが、腰があるために使いやすく、持ち運びも容易である。
【０００８】
図２による本発明の櫛（１）を収納する櫛用ケース（４）も、櫛（１）と同様に凹状の形状をしているので、本発明の櫛（１）を収納するのに都合が良く、櫛（１）を収納した後に、ホック状の固定手段（６）を櫛（１）の固定用穴（３）の両側から挟み込むように固定すれば、櫛（１）は固定されて抜け落ちることはないのである。櫛（１）を使用する時は、ホック等の固定手段（６）を外してから櫛（１）を櫛用ケース（４）から抜き去ればよく、簡便に使用できる。
【０００９】
さらに、図４の本発明の櫛収納ポケットを有する帽子は、帽子（７）のひさし（８）の裏側に、ひさし（８）の外面を形成している布地と同様の布地を縫製等の手段により袋状に形成してポケット（９）を形成しており、ポケット（１）がひさし（８）のカーブに沿って凹状に湾曲しているので、櫛（１）を挿入しやすく、櫛（１）も邪魔にならず、簡便に使用できるのである。
【００１０】
さらには、図１の本発明の櫛収納ポケットを有する帽子は、前記凹状の形状をした櫛用ケース（４）を帽子（７）のひさし（８）裏側に固着してあり、櫛用ケース（４）のみを固定してあるので櫛用ケース（４）が邪魔にならず、また櫛（１）がすぐ取り出すことができるので、簡便に使用できるのである。
【００１１】
以上のことにより、かぶっていた帽子を脱いだ直後に、容易に櫛で整髪ができることの目的を達成できるのである。
【００１２】
【発明の効果】
以上説明したように、本発明の櫛をもちいれば、櫛は腰のある凹状の形状をしているので、持ち運びが容易である。
また、櫛用ケースも凹状の形状をしているので、本発明の櫛を入れるのに都合が良く、固定手段により櫛の固定用穴を両方から挟み込んで固定するので、櫛を落すことがなく、また固定手段を外すことも容易であり、櫛が自由に使用できるのである。
さらに、帽子のひさしの裏側に、ひさしの外面を形成している布地と同様の
布地を縫製等の手段によりポケットを形成しており、ポケットがひさしのカーブに沿って凹状に湾曲しているので、櫛を挿入しやすく、櫛も邪魔にならず、簡便に使用できるのである。
さらには、ひさしに櫛用ケースを固着してあるので櫛用ケースが邪魔にならず、櫛のみを保管する構造であるため、櫛がすぐ取り出すことができ、簡便に使用できるのである。
以上のことにより、かぶっていた帽子を脱いだ直後に、容易に櫛で整髪ができることの目的を達成できるのである。
【図面の簡単な説明】
【図１】ひさしの裏側に櫛用ケースを固着した斜視図
【図２】櫛用ケースの斜視図
【図３】櫛の斜視図
【図４】櫛収納ポケットを有する帽子の斜視図
【符号の説明】
１．櫛
２．櫛の保持部
３．固定用穴
４．櫛用ケース
５．櫛の挿入部
６．固定手段
７．帽子
８．ひさし
９．ポケット
【図１】
2005007132.tif 000003
【図２】
2005007132.tif 000004
【図３】
2005007132.tif 000005
【図４】
2005007132.tif 000006